(57)【要約】【課題】漏電検出回路に入力される信号が小さくなることなく効果的にノイズを除去し、また、実装面積を小さくできる漏電遮断器を提供する。【解決手段】主回路４に流れる漏洩電流を検出する零相変流器６と、零相変流器６の出力から漏電か否かを判定し、漏電であると判定した場合に引き外し機構１２を作動させて主回路４を遮断する漏電検出回路９と、零相変流器６の出力ライン７に設けられて漏電検出回路９に入力される信号に重畳するノイズを除去する抵抗Ｒ１とコンデンサＣ１から成るローパスフィルタ回路１０とを具備し、零相変流器６の２本の出力ライン７にフェライトコア１１を夫々設ける。【選択図】図１
2009087689.tif 000002
【特許請求の範囲】
【請求項１】
主回路に流れる漏洩電流を検出する零相変流器と、該零相変流器の出力から漏電か否かを判定し、漏電であると判定した場合に引き外し機構を作動させて前記主回路を遮断する漏電検出回路と、前記零相変流器の出力ラインに設けられて前記漏電検出回路に入力される信号に重畳するノイズを除去する抵抗とコンデンサから成るローパスフィルタ回路とを具備する漏電遮断器において、前記零相変流器の出力ラインの少なくとも一方にフェライトコアを設けたことを特徴とする漏電遮断器。
【請求項２】
前記フェライトコアを前記漏電検出回路を実装したプリント基板上に設けたことを特徴とする請求項１に記載の漏電遮断器。
【発明の詳細な説明】
【技術分野】
【０００１】
本発明は、漏電遮断器の零相変流器から漏電検出回路に入力される信号に重畳するノイズによる誤動作防止に関する。
【背景技術】
【０００２】
従来、漏電遮断器は主回路に流れる漏洩電流を検出する零相変流器と、零相変流器の出力から漏電か否かを判定し、漏電であると判定した場合に信号を出力して引き外し機構を作動させて主回路を遮断する漏電検出回路とを備え、零相変流器の出力ラインに抵抗とコンデンサから成るローパスフィルタ回路を設け、漏電検出回路に入力される信号に重畳するノイズを除去して誤動作防止を図っていた（例えば、特許文献１参照。）。しかしながら、抵抗とコンデンサから成るローパスフィルタ回路はノイズの除去能力が低く、漏電遮断器が誤動作するため、ローパスフィルタ回路を２個設けてノイズ除去能力を向上させていた（例えば、特許文献２参照。）。
【０００３】
【特許文献１】特開２００４−８７１５４号公報（図１）
【特許文献２】特開平１１−６９６０５号公報（図３）
【発明の開示】
【発明が解決しようとする課題】
【０００４】
しかしながら、従来のローパスフィルタ回路を２個設けた漏電遮断器においても、ノイズを除去しきれずに誤動作することがあった。また、ローパスフィルタ回路を増やしてノイズ除去能力を高めると漏電検出回路に入力される信号が小さくなり、漏電検出回路が正常に機能しないという問題があった。また、ローパスフィルタ回路を２個設けた場合、プリント基板における実装面積が大きくなるという欠点があった。
【課題を解決するための手段】
【０００５】
本発明は、請求項１に記載の発明によれば、主回路に流れる漏洩電流を検出する零相変流器と、零相変流器の出力から漏電か否かを判定し、漏電であると判定した場合に引き外し機構を作動させて主回路を遮断する漏電検出回路と、零相変流器の出力ラインに設けられて漏電検出回路に入力される信号に重畳するノイズを除去する抵抗とコンデンサから成るローパスフィルタ回路とを具備する漏電遮断器において、零相変流器の出力ラインの少なくとも一方にフェライトコアを設けたことを特徴とする。
【０００６】
請求項２に記載の発明によれば、請求項１に記載の漏電遮断器において、フェライトコアを漏電検出回路を実装したプリント基板上に設けたことを特徴とする。
【発明の効果】
【０００７】
請求項１に記載の発明によれば、漏電遮断器において誤動作の原因となる１００〜４００Ｍｈｚの周波数帯において効率よくノイズを除去することができ、漏電検出回路に入力される信号が小さくならないので漏電検出回路が正常に機能し、また、抵抗とコンデンサから成るローパスフィルタ回路を２個設ける場合に比べて実装面積を小さくできるという効果がある。
【０００８】
請求項２に記載の発明によれば、請求項１に記載の発明の効果に加えて、漏電遮断器の組み立て性が向上するという効果がある。
【発明を実施するための最良の形態】
【０００９】
主回路に流れる漏洩電流を検出する零相変流器と、零相変流器の出力から漏電か否かを判定し、漏電であると判定した場合に引き外し機構を作動させて主回路を遮断する漏電検出回路と、零相変流器の出力ラインに設けられて漏電検出回路に入力される信号に重畳するノイズを除去する抵抗とコンデンサから成るローパスフィルタ回路とを具備し、零相変流器の２本の出力ラインにフェライトコアを夫々設ける。
【実施例１】
【００１０】
本発明に係る漏電遮断器の実施例１を図１の添付図面に基づいて説明する。
【００１１】
漏電遮断器１は電源側端子２と負荷側端子３間を主回路４により接続し、主回路４に回路を開閉するための開閉接点５が設けられ、開閉接点５の負荷側に漏洩電流を検出するための零相変流器６が設けられている。
【００１２】
零相変流器６は出力ライン７がプリント基板８に実装された集積回路の漏電検出回路９に接続され、２本の出力ライン７には抵抗Ｒ１とコンデンサＣ１から成るローパスフィルタ回路１０が設けられるとともに、零相変流器６から延びてプリント基板８に接続されるリード線部分にフェライトコア１１が夫々設けられている。
【００１３】
漏電検出回路９は零相変流器６の出力から漏電か否かを判定し、漏電の場合には信号を出力してサイリスタＳＣＲ１をオンし、サイリスタＳＣＲ１のオンにより引き外し機構１２を作動させることにより開閉接点５を遮断するようになっている。
【００１４】
零相変流器６の出力ライン７にフェライトコア１１を設けたことにより零相変流器６の出力ライン７を介して漏電検出回路９に入力される信号に重畳する特に漏電遮断器１の誤動作の原因となる１００Ｍｈｚ〜４００Ｍｈｚの周波数帯のノイズを除去し、出力ライン７に設けられたローパスフィルタ回路１０と合わせて効果的にノイズを除去して漏電遮断器１の誤動作を防止している。
【００１５】
尚、本実施例において、フェライトコア１１を零相変流器６の出力ライン７の両方に設けたが、片方だけに設けてもよい。
【実施例２】
【００１６】
本発明に係る漏電遮断器の実施例２を図２の添付図面に基づいて説明する。
【００１７】
漏電遮断器２１は電源側端子２２と負荷側端子２３間を主回路２４により接続し、主回路２４に回路を開閉するための開閉接点２５が設けられ、開閉接点２５の負荷側に漏洩電流を検出するための零相変流器２６が設けられている。
【００１８】
零相変流器２６は出力ライン２７がプリント基板２８に実装された集積回路の漏電検出回路２９に接続され、２本の出力ライン２７には抵抗Ｒ１１とコンデンサＣ１１から成るローパスフィルタ回路３０がプリント基板２８に実装されるとともに、フェライトコア３１がプリント基板２８に実装されている。
【００１９】
漏電検出回路２９は零相変流器２６の出力から漏電か否かを判定し、漏電の場合には信号を出力してサイリスタＳＣＲ２１をオンし、サイリスタＳＣＲ１１のオンにより引き外し機構３２を作動させることにより開閉接点２５を遮断するようになっている。
【００２０】
零相変流器２６の出力ライン２７にフェライトコア３１を設けたことにより零相変流器２６の出力ライン２７を介して漏電検出回路２９に入力される信号に重畳する特に漏電遮断器２１の誤動作の原因となる１００Ｍｈｚ〜４００Ｍｈｚの周波数帯のノイズを除去し、出力ライン２７に設けられたローパスフィルタ回路３０と合わせて効果的にノイズを除去して漏電遮断器２１の誤動作を防止している。
【００２１】
尚、本実施例において、フェライトコア３１を零相変流器２６の出力ライン２７の両方に設けたが、片方だけに設けてもよい。
【図面の簡単な説明】
【００２２】
【図１】本発明の実施例１に係る漏電遮断器の回路図である。
【図２】本発明の実施例２に係る漏電遮断器の回路図である。
【符号の説明】
【００２３】
１    漏電遮断器
２    電源側端子
３    負荷側端子
４    主回路
５    開閉接点
６    零相変流器
７    出力ライン
８    プリント基板
９    漏電検出回路
１０    ローパスフィルタ回路
１１    フェライトコア
１２    引き外し機構
【図１】
2009087689.tif 000003
【図２】
2009087689.tif 000004